(57)【要約】【課題】コネクタを大型化することなくランスの強度を確保することのできるコネクタを提供すること。【解決手段】コネクタ１００は、第１保持部材２００と、第２保持部材４００と、第１コンタクト３００と、第２コンタクト５００とを備えている。第１保持部材２００は、第２保持部材４００の左側に位置している。第１保持部材２００は、第１ランス２５０を有している。第１ランス２５０は、第１コンタクト３００の後方への移動を規制している。第２保持部材４００は、第２ランス４５０を有している。第２ランス４５０は、第２コンタクト５００の後方への移動を規制している。第１保持部材２００と第２保持部材４００とが互いに組み合わされた状態において、上下方向に沿ってコネクタ１００を透視した場合に、第１ランス２５０と第２ランス４５０とは部分的に重なっている。【選択図】図１
2018014261.tif 000002
【特許請求の範囲】
【請求項１】
前後方向において前端に相手側コネクタとの嵌合端を有し、且つ、前記前後方向に沿って前記相手側コネクタと嵌合可能なコネクタであって、
前記コネクタは、第１保持部材と、第２保持部材と、第１コンタクトと、第２コンタクトとを備えており、
前記第１保持部材と前記第２保持部材とは、前記前後方向と直交する左右方向において互いに組み合わされており、
前記第１保持部材は、前記左右方向において前記第２保持部材の左側に位置しており、
前記第１保持部材は、第１収容部と、右側部と、第１ランスとを有しており、
前記第１収容部には、前記第１コンタクトが収容されており、
前記第１ランスは、前記右側部において前記左右方向の右側に部分的に露出しており、
前記第１ランスは、前記前後方向において前記第１コンタクトの後方への移動を規制しており、
前記第２保持部材は、前記左右方向において前記第１保持部材の右側に位置しており、
前記第２保持部材は、第２収容部と、左側部と、第２ランスとを有しており、
前記第２収容部には、前記第２コンタクトが収容されており、
前記第２ランスは、前記左側部において前記左右方向の左側に部分的に露出しており、
前記第２ランスは、前記前後方向において前記第２コンタクトの後方への移動を規制しており、
前記第１保持部材と前記第２保持部材とが互いに組み合わされた状態において、前記前後方向と前記左右方向の双方と直交する上下方向に沿って前記コネクタを透視した場合に、前記第１ランスと前記第２ランスとは部分的に重なっている
コネクタ。
【請求項２】
請求項１記載のコネクタであって、
前記第１コンタクトは、第１被係止部を有しており、
前記第１ランスは、第１係止部を有しており、
前記第１係止部は、前記第１収容部内に位置していると共に、前記前後方向において前記第１コンタクトの前記第１被係止部の後方に位置して、前記前後方向において前記第１コンタクトの後方への移動を規制しており
前記第２コンタクトは、第２被係止部を有しており、
前記第２ランスは、第２係止部を有しており、
前記第２係止部は、前記第２収容部内に位置していると共に、前記前後方向において前記第２コンタクトの前記第２被係止部の後方に位置して、前記前後方向において前記第２コンタクトの後方への移動を規制している
コネクタ。
【請求項３】
請求項１又は請求項２記載のコネクタであって、
前記第１保持部材と前記第２保持部材とが互いに組み合わされた状態において、前記第１ランスの一部と前記第２ランスの一部とは前記上下方向において対向している
コネクタ。
【請求項４】
請求項１から請求項３までのいずれかに記載のコネクタであって、
前記第１保持部材の前記右側部には、第１上側保護壁と、第１下側保護壁とが形成されており、
前記第１上側保護壁及び前記第１下側保護壁の夫々は、前記左右方向において右側に突出しており、
前記第１ランスは、前記上下方向において前記第１上側保護壁と前記第１下側保護壁との間に位置しており、
前記第２保持部材の前記左側部には、第２上側保護壁と、第２下側保護壁とが形成されており、
前記第２上側保護壁及び前記第２下側保護壁の夫々は、前記左右方向において左側に突出しており、
前記第２ランスは、前記上下方向において前記第２上側保護壁と前記第２下側保護壁との間に位置している
コネクタ。
【請求項５】
請求項４記載のコネクタであって、
前記第１保持部材と前記第２保持部材とが互いに組み合わされた状態において、前記第１上側保護壁と前記第２上側保護壁とは前記上下方向において部分的に重なっており、前記第１下側保護壁と前記第２下側保護壁とは前記上下方向において部分的に重なっている
コネクタ。
【請求項６】
請求項１から請求項５までのいずれかに記載のコネクタであって、
前記第１保持部材単体を前方から見た場合に、前記第１ランスは視認可能となっており、
前記第２保持部材単体を前方から見た場合に、前記第２ランスは視認可能となっている
コネクタ。
【請求項７】
請求項１から請求項５までのいずれかに記載のコネクタであって、
前記第１保持部材の前記右側部には、第１押さえ部が形成されており、
前記第２保持部材の前記左側部には、第２押さえ部が形成されており、
前記第１保持部材と前記第２保持部材とが互いに組み合わされた状態において、前記第２押さえ部は、前記第１ランスの右側に位置して前記第１ランスの右側への移動を規制しており、前記第１押さえ部は、前記第２ランスの左側に位置して前記第２ランスの左側への移動を規制している
コネクタ。
【請求項８】
請求項７記載のコネクタであって、
前記第１保持部材の前記右側部には、第１基準面が設けられており、
前記第２保持部材の前記左側部には、第２基準面が設けられており、
前記第１保持部材と前記第２保持部材とが互いに組み合わされた状態において、前記第１基準面と前記第２基準面は、前記左右方向において互いに接触しており、
前記第１押さえ部は、前記左右方向において前記第１基準面より左側に位置しており、
前記第２押さえ部は、前記左右方向において前記第２基準面より右側に位置しており、
前記第１保持部材単体を前方から見た場合に、前記第１ランスは視認可能となっており、
前記第２保持部材単体を前方から見た場合に、前記第２ランスは視認可能となっている
コネクタ。
【請求項９】
請求項８記載のコネクタであって、
前記第１保持部材は、第１保護部を有しており、
前記第１保護部は、前記前後方向において前記第１押さえ部の前方に位置しており、
前記第２保持部材は、第２保護部を有しており、
前記第２保護部は、前記前後方向において前記第２押さえ部の前方に位置している
コネクタ。
【請求項１０】
請求項９記載のコネクタであって、
前記第１押さえ部及び前記第２押さえ部の夫々は、前記前後方向において前方に向かうに連れて前記左右方向における厚みが増加する
コネクタ。
【請求項１１】
請求項１から請求項１０までのいずれかに記載のコネクタであって、
前記第１保持部材には、第１凸部と第１凹部とが形成されており、
前記第１凸部と前記第１凹部とは、前記上下方向に並んでおり、
前記第１凸部及び前記第１凹部の夫々は、前記前後方向において前記第１ランスの後方に位置しており、
前記第２保持部材には、第２凸部と第２凹部とが形成されており、
前記第２凸部と第２凹部とは、前記上下方向に並んでおり、
前記第２凸部及び前記第２凹部の夫々は、前記前後方向において前記第２ランスの後方に位置しており、
前記第１保持部材と前記第２保持部材とが互いに組み合わされた状態において、前記第１凸部は前記第２凹部に嵌め込まれており、前記第２凸部は前記第１凹部に嵌め込まれている
コネクタ。
【発明の詳細な説明】
【技術分野】
【０００１】
本発明は、相手側コネクタと嵌合可能なコネクタに関する。
【背景技術】
【０００２】
図２７及び図２８を参照すると、特許文献１には、第１ハウジング９１０と、第２ハウジング９２０と、複数のコンタクト９５０とを備えるコネクタ９００が開示されている。第１ハウジング９１０は、上板部（第１当接部）９１２と、底板部９１４と、複数の第１収容部９１６とを有している。上板部（第１当接部）９１２と底板部９１４は、上下方向において第１ハウジング９１０の両端に位置している。第１収容部９１６には、第１ランス９１８が夫々設けられている。第１ランス９１８は、上下方向に弾性変形可能となるように上板部（第１当接部）９１２に支持されている。第２ハウジング９２０は、上板部９２２と、底板部（第２当接部）９２４と、複数の第２収容部９２６とを有している。上板部９２２と底板部（第２当接部）９２４は、上下方向において第２ハウジング９２０の両端に位置している。第２収容部９２６には、第２ランス９２８が夫々設けられている。第２ランス９２８は、上下方向に弾性変形可能となるように底板部（第２当接部）９２４に支持されている。コンタクト９５０の夫々は、仮被係止部９５２を有している。第１ハウジング９１０と第２ハウジング９２０とは、上板部（第１当接部）９１２と底板部（第２当接部）９２４とが当接するように互いに組み合わせられている。第１ハウジング９１０の第１収容部９１６は、コンタクト９５０を夫々収容している。第１ハウジング９１０の第１ランス９１８は、コンタクト９５０の仮被係止部９５２を夫々係止している。第２ハウジング９２０の第２収容部９２６は、コンタクト９５０を夫々収容している。第２ハウジング９２０の第２ランス９２８は、コンタクト９５０の仮被係止部９５２を夫々係止している。
【先行技術文献】
【特許文献】
【０００３】
【特許文献１】特開２０１３−２３２３２４号公報
【発明の概要】
【発明が解決しようとする課題】
【０００４】
本発明は、コネクタを大型化することなくランスの強度を確保することのできるコネクタを提供することを目的とする。
【課題を解決するための手段】
【０００５】
本発明は、第１のコネクタとして、
前後方向において前端に相手側コネクタとの嵌合端を有し、且つ、前記前後方向に沿って前記相手側コネクタと嵌合可能なコネクタであって、
前記コネクタは、第１保持部材と、第２保持部材と、第１コンタクトと、第２コンタクトとを備えており、
前記第１保持部材と前記第２保持部材とは、前記前後方向と直交する左右方向において互いに組み合わされており、
前記第１保持部材は、前記左右方向において前記第２保持部材の左側に位置しており、
前記第１保持部材は、第１収容部と、右側部と、第１ランスとを有しており、
前記第１収容部には、前記第１コンタクトが収容されており、
前記第１ランスは、前記右側部において前記左右方向の右側に部分的に露出しており、
前記第１ランスは、前記前後方向において前記第１コンタクトの後方への移動を規制しており、
前記第２保持部材は、前記左右方向において前記第１保持部材の右側に位置しており、
前記第２保持部材は、第２収容部と、左側部と、第２ランスとを有しており、
前記第２収容部には、前記第２コンタクトが収容されており、
前記第２ランスは、前記左側部において前記左右方向の左側に部分的に露出しており、
前記第２ランスは、前記前後方向において前記第２コンタクトの後方への移動を規制しており、
前記第１保持部材と前記第２保持部材とが互いに組み合わされた状態において、前記前後方向と前記左右方向の双方と直交する上下方向に沿って前記コネクタを透視した場合に、前記第１ランスと前記第２ランスとは部分的に重なっている
コネクタを提供する。
【０００６】
また、本発明は、第２のコネクタとして、第１のコネクタであって、
前記第１コンタクトは、第１被係止部を有しており、
前記第１ランスは、第１係止部を有しており、
前記第１係止部は、前記第１収容部内に位置していると共に、前記前後方向において前記第１コンタクトの前記第１被係止部の後方に位置して、前記前後方向において前記第１コンタクトの後方への移動を規制しており
前記第２コンタクトは、第２被係止部を有しており、
前記第２ランスは、第２係止部を有しており、
前記第２係止部は、前記第２収容部内に位置していると共に、前記前後方向において前記第２コンタクトの前記第２被係止部の後方に位置して、前記前後方向において前記第２コンタクトの後方への移動を規制している
コネクタを提供する。
【０００７】
また、本発明は、第３のコネクタとして、第１又は第２のコネクタであって、
前記第１保持部材と前記第２保持部材とが互いに組み合わされた状態において、前記第１ランスの一部と前記第２ランスの一部とは前記上下方向において対向している
コネクタを提供する。
【０００８】
また、本発明は、第４のコネクタとして、第１から第３までのいずれかのコネクタであって、
前記第１保持部材の前記右側部には、第１上側保護壁と、第１下側保護壁とが形成されており、
前記第１上側保護壁及び前記第１下側保護壁の夫々は、前記左右方向において右側に突出しており、
前記第１ランスは、前記上下方向において前記第１上側保護壁と前記第１下側保護壁との間に位置しており、
前記第２保持部材の前記左側部には、第２上側保護壁と、第２下側保護壁とが形成されており、
前記第２上側保護壁及び前記第２下側保護壁の夫々は、前記左右方向において左側に突出しており、
前記第２ランスは、前記上下方向において前記第２上側保護壁と前記第２下側保護壁との間に位置している
コネクタを提供する。
【０００９】
また、本発明は、第５のコネクタとして、第４のコネクタであって、
前記第１保持部材と前記第２保持部材とが互いに組み合わされた状態において、前記第１上側保護壁と前記第２上側保護壁とは前記上下方向において部分的に重なっており、前記第１下側保護壁と前記第２下側保護壁とは前記上下方向において部分的に重なっている
コネクタを提供する。
【００１０】
また、本発明は、第６のコネクタとして、第１から第５までのいずれかのコネクタであって、
前記第１保持部材単体を前方から見た場合に、前記第１ランスは視認可能となっており、
前記第２保持部材単体を前方から見た場合に、前記第２ランスは視認可能となっている
コネクタを提供する。
【００１１】
また、本発明は、第７のコネクタとして、第１から第５までのいずれかのコネクタであって、
前記第１保持部材の前記右側部には、第１押さえ部が形成されており、
前記第２保持部材の前記左側部には、第２押さえ部が形成されており、
前記第１保持部材と前記第２保持部材とが互いに組み合わされた状態において、前記第２押さえ部は、前記第１ランスの右側に位置して前記第１ランスの右側への移動を規制しており、前記第１押さえ部は、前記第２ランスの左側に位置して前記第２ランスの左側への移動を規制している
コネクタを提供する。
【００１２】
また、本発明は、第８のコネクタとして、第７のコネクタであって、
前記第１保持部材の前記右側部には、第１基準面が設けられており、
前記第２保持部材の前記左側部には、第２基準面が設けられており、
前記第１保持部材と前記第２保持部材とが互いに組み合わされた状態において、前記第１基準面と前記第２基準面は、前記左右方向において互いに接触しており、
前記第１押さえ部は、前記左右方向において前記第１基準面より左側に位置しており、
前記第２押さえ部は、前記左右方向において前記第２基準面より右側に位置しており、
前記第１保持部材単体を前方から見た場合に、前記第１ランスは視認可能となっており、
前記第２保持部材単体を前方から見た場合に、前記第２ランスは視認可能となっている
コネクタを提供する。
【００１３】
また、本発明は、第９のコネクタとして、第８のコネクタであって、
前記第１保持部材は、第１保護部を有しており、
前記第１保護部は、前記前後方向において前記第１押さえ部の前方に位置しており、
前記第２保持部材は、第２保護部を有しており、
前記第２保護部は、前記前後方向において前記第２押さえ部の前方に位置している
コネクタを提供する。
【００１４】
また、本発明は、第１０のコネクタとして、第９のコネクタであって、
前記第１押さえ部及び前記第２押さえ部の夫々は、前記前後方向において前方に向かうに連れて前記左右方向における厚みが増加する
コネクタを提供する。
【００１５】
また、本発明は、第１１のコネクタとして、第１から第１０までのいずれかのコネクタであって、
前記第１保持部材には、第１凸部と第１凹部とが形成されており、
前記第１凸部と前記第１凹部とは、前記上下方向に並んでおり、
前記第１凸部及び前記第１凹部の夫々は、前記前後方向において前記第１ランスの後方に位置しており、
前記第２保持部材には、第２凸部と第２凹部とが形成されており、
前記第２凸部と第２凹部とは、前記上下方向に並んでおり、
前記第２凸部及び前記第２凹部の夫々は、前記前後方向において前記第２ランスの後方に位置しており、
前記第１保持部材と前記第２保持部材とが互いに組み合わされた状態において、前記第１凸部は前記第２凹部に嵌め込まれており、前記第２凸部は前記第１凹部に嵌め込まれている
コネクタを提供する。
【発明の効果】
【００１６】
本発明のコネクタにおいては、第１保持部材と第２保持部材とが互いに組み合わされた状態において、上下方向に沿ってコネクタを透視した場合に、第１ランスと第２ランスとは部分的に重なっている。これにより本発明のコネクタは、第１ランスと第２ランスの左右方向のサイズを大きくとって第１ランスと第２ランスの強度を確保することができる一方で、コネクタの左右方向のサイズの増加を抑えることができる。
【図面の簡単な説明】
【００１７】
【図１】本発明の実施の形態によるコネクタを示す正面図である。
【図２】図１のコネクタをＡ−Ａ線に沿って示す一部切り欠き断面図である。
【図３】図１のコネクタを示す一部切り欠き斜視断面図である。
【図４】図１のコネクタに含まれる第１保持部材と第１コンタクトとの構造体を示す上側斜視図である。
【図５】図４の構造体を示す正面図である。
【図６】図１のコネクタを示す上面図である。ここで第１コンタクト及び第２コンタクトは省略されている。
【図７】図６のコネクタをＢ−Ｂ線に沿って示す断面図である。
【図８】図６のコネクタをＣ−Ｃ線に沿って示す断面図である。
【図９】図６のコネクタをＤ−Ｄ線に沿って示す断面図である。
【図１０】図６のコネクタをＥ−Ｅ線に沿って示す断面図である。
【図１１】図６のコネクタを示す分解斜視図である。
【図１２】図１１のコネクタを示す正面図である。
【図１３】図１１のコネクタを示す上面図である。
【図１４】図１１のコネクタを示す下側斜視図である。
【図１５】図１１のコネクタに含まれる第１保持部材を示す上側斜視図である。
【図１６】図１５の第１保持部材を示す側面図である。
【図１７】図１５の第１保持部材を示す正面図である。
【図１８】図１５の第１保持部材を示す上面図である。
【図１９】図１５の第１保持部材を示す別の斜視図である。
【図２０】図１５の第１保持部材を示す更に別の斜視図である。
【図２１】図１１のコネクタに含まれる第２保持部材を示す上側斜視図である。
【図２２】図２１の第２保持部材を示す側面図である。
【図２３】図２１の第２保持部材を示す正面図である。
【図２４】図２１の第２保持部材を示す上面図である。
【図２５】図２１の第２保持部材を示す別の斜視図である。
【図２６】図２１の第２保持部材を示す更に別の斜視図である。
【図２７】特許文献１のコネクタを示す分解斜視図である。
【図２８】図２７のコネクタを示す断面図である。ここで、コネクタに含まれる第１ハウジング及び第２ハウジングは、互いに組み合わされている。
【発明を実施するための形態】
【００１８】
図１、図３及び図６に示されるように、本発明の実施の形態によるコネクタ１００は、前後方向において前端に相手側コネクタ（図示せず）との嵌合端１５０を有している。また、本実施の形態のコネクタ１００は、前後方向に沿って相手側コネクタ（図示せず）と嵌合可能なものである。本実施の形態において、前後方向はＸ方向である。前方は＋Ｘ方向であり、後方は−Ｘ方向である。
【００１９】
図１から図３までに示されるように、本実施の形態のコネクタ１００は、第１保持部材２００と、第２保持部材４００と、第１コンタクト３００と、第２コンタクト５００と、ケーブル７００とを備えている。
【００２０】
図１１から図２６までから理解されるように、本実施の形態の第１保持部材２００と第２保持部材４００とは、互いに同一形状を有している。これにより、第１保持部材２００と第２保持部材４００との製造に用いる金型を共用化することができる。
【００２１】
図１から図３及び図６から図１０までに示されるように、第１保持部材２００と第２保持部材４００とは、前後方向と直交する左右方向において互いに組み合わされている。本実施の形態において、左右方向はＹ方向である。右側＋Ｙ方向であり、左側は−Ｙ方向である。
【００２２】
図１から図３及び図６から図１０までに示されるように、第１保持部材２００は、左右方向において第２保持部材４００の左側に位置している。
【００２３】
図１５から図２０までに示されるように、第１保持部材２００は、第１収容部２１０と、右側部２３０と、第１ランス２５０と、第１保護部２７０と、第１ランス保持部２７５とを有している。また、第１保持部材２００には、第１凸部２８０と第１凹部２９０とが形成されている。
【００２４】
図７から図１０及び図１５から図２０までに示されるように、第１収容部２１０は、第１保持部材２００を前後方向に貫通する孔である。
【００２５】
図１５から図２０までに示されるように、第１保持部材２００の右側部２３０には、上側保護壁収容部２４２と、第１上側保護壁２３２と、第１押さえ部２３６と、下側保護壁収容部２４４と、第１下側保護壁２３４とが形成されている。また、第１保持部材２００の右側部２３０には、第１基準面２３８が設けられている。
【００２６】
より具体的には、図１５から図２０までに示されるように、上側保護壁収容部２４２は、第１保持部材２００の上端且つ前端近傍に位置している。第１上側保護壁２３２は、上下方向において上側保護壁収容部２４２の下方に位置し、且つ、左右方向において右側に突出している。本実施の形態において、上下方向はＺ方向である。上方は＋Ｚ方向であり、下方は−Ｚ方向である。第１押さえ部２３６は、上下方向において第１上側保護壁２３２の下方に位置している。第１ランス２５０は、上下方向において第１押さえ部２３６の下方に位置している。下側保護壁収容部２４４は、上下方向において第１ランス２５０の下方に位置しており、且つ、左右方向において左方に凹んでいる。第１下側保護壁２３４は、上下方向において第１保持部材２００の下端であって下側保護壁収容部２４４の下方に位置しており、左右方向において右側に突出している。第１基準面２３８は、左右方向と直交する平面であり、前後方向において第１保持部材２００の後端付近に位置している。
【００２７】
図４及び図５に示されるように、第１ランス２５０は、右側部２３０において左右方向の右側に部分的に露出している。より具体的には、第１保持部材２００単体を前方から見た場合に、第１ランス２５０は視認可能となっている。これにより、小型のマイナスドライバーなどの汎用品を用いて第１ランス２５０を容易に解除可能となっている。
【００２８】
図１５から図２０までに示されるように、第１ランス２５０は、上下方向において第１上側保護壁２３２と第１下側保護壁２３４との間に位置している。より詳しくは、第１ランス２５０は、上下方向において第１押さえ部２３６と下側保護壁収容部２４４との間に位置している。
【００２９】
図１から図５まで及び図１５から図２０までに示されるように、第１ランス２５０は、第１係止部２５２と、第１バネ部２５４と、第１突起２５６とを有している。第１係止部２５２は、前後方向において第１ランス２５０の前端付近に位置している。本実施の形態の第１保持部材２００と第２保持部材４００とが互いに同一形状を有していることから理解されるように、第１係止部２５２は、前後方向及び上下方向の双方と斜交する平面である。第１バネ部２５４は、第１ランス保持部２７５の前端から前方に延びている。第１突起２５６は、第１係止部２５２の右端から前方に延びている。
【００３０】
図２、図３、図４、図１５及び図１８までに示されるように、第１保護部２７０は、前後方向において第１押さえ部２３６の前方に位置している。また、第１保護部２７０は、上下方向において第１上側保護壁２３２の上端と第１ランス２５０の上端との間に位置しており、第１保持部材２００の前端から後方に延びている。
【００３１】
図２に示されるように、第１押さえ部２３６は、左右方向において第１基準面２３８より左側に位置している。また、第１押さえ部２３６は、前後方向において前方に向かうに連れて左右方向における厚みが増加している。
【００３２】
図１０、図１５及び図１８から図２０までに示されるように、第１凸部２８０と第１凹部２９０とは、上下方向に並んでいる。第１凸部２８０は、上下方向において第１凹部２９０の上方に位置している。第１凸部２８０及び第１凹部２９０の夫々は、前後方向において第１ランス２５０の後方に位置している。
【００３３】
図４、図１０及び図１８から図２０に示されるように、第１凸部２８０は、右方に突出した突起であり、第１係止突起２８２が設けられている。第１係止突起２８２は、第１凸部２８０の上面から上方に突き出しており、左右方向と直交する第１係止面２８４を有している。
【００３４】
図４、図１０、図１５及び図１８から図２０に示されるように、第１凹部２９０は、左右方向に貫通する孔であり、第１収容部２１０と連通している。第１凹部２９０には、上下方向において下方に凹んだ第１受容部２９２が設けられている。第１受容部２９２は、第１被係止面２９４を有している。第１被係止面２９４は、左右方向と直交する平面であり、左方に面している。
【００３５】
図１５から図２０までに示されるように、第１ランス保持部２７５は、前後方向において第１ランス２５０の第１バネ部２５４と第１凹部２９０との間に位置している。
【００３６】
図１から図５までに示されるように、第１収容部２１０には、ケーブル７００が接続された第１コンタクト３００が収容されている。
【００３７】
図１及び図４に示されるように、第１コンタクト３００は、第１被係止部３０２を有している。より具体的には、第１被係止部３０２は、第１コンタクト３００の右方に突出した突起における後方に向いたエッジである。
【００３８】
図１から図５までから理解されるように、第１ランス２５０は、前後方向において第１コンタクト３００の後方への移動を規制している。より具体的には、第１ランス２５０の第１係止部２５２は、第１収容部２１０内に位置していると共に、前後方向において第１コンタクト３００の第１被係止部３０２の後方に位置して、前後方向において第１コンタクト３００の後方への移動を規制している。
【００３９】
図１から図５までから理解されるように、第１コンタクト３００の前端近傍の右面の右方には、第１突起２５６が位置している。これにより、前方から治具を挿入して第１突起２５６を右方に移動させて第１ランス２５０を右方に移動させることができる。従って、第１収容部２１０に収容された第１コンタクト３００を抜き取る場合、第１コンタクト３００の第１被係止部３０２に対する第１ランス２５０の第１係止部２５２の係止を解除しやすくなっている。
【００４０】
図１から図３及び図６から図１０までに示されるように、第２保持部材４００は、左右方向において第１保持部材２００の右側に位置している。
【００４１】
図２１から図２６までに示されるように、第２保持部材４００は、第２収容部４１０と、左側部４３０と、第２ランス４５０と、第２保護部４７０と、第２ランス保持部４７５とを有している。また、第２保持部材４００には、第２凸部４８０と第２凹部４９０とが形成されている。
【００４２】
図７から図１０及び図２１から図２６までに示されるように、第２収容部４１０は、第２保持部材４００を前後方向に貫通する孔である。
【００４３】
図２１から図２６までに示されるように、第２保持部材４００の左側部４３０には、第２上側保護壁４３２と、上側保護壁収容部４４２と、第２押さえ部４３６と、第２下側保護壁４３４と、下側保護壁収容部４４４とが形成されている。また、第２保持部材４００の左側部４３０には、第２基準面４３８が設けられている。
【００４４】
より具体的には、図２１から図２６までに示されるように、第２上側保護壁４３２は、第２保持部材４００の上端且つ前端近傍に位置しており、且つ、左右方向において左側に突出している。上側保護壁収容部４４２は、上下方向において第２上側保護壁４３２の下方に位置しており、且つ、左右方向において右方に凹んでいる。第２ランス４５０は、上下方向において上側保護壁収容部４４２の下方に位置している。第２押さえ部４３６は、上下方向において第２ランス４５０の下方に位置している。第２下側保護壁４３４は、上下方向において第２押さえ部４３６の下方に位置しており、且つ、左右方向において左側に突出している。下側保護壁収容部４４４は、上下方向において第２保持部材４００の下端であって第２下側保護壁４３４の下方に位置している。第２基準面４３８は、左右方向と直交する平面であり、前後方向において第２保持部材４００の後端付近に位置している。
【００４５】
図２１から図２６までに示されるように、第２ランス４５０は、左側部４３０において左右方向の左側に部分的に露出している。より具体的には、第２保持部材４００単体を前方から見た場合に、第２ランス４５０は視認可能となっている。これにより、小型のマイナスドライバーなどの汎用品を用いて第２ランス４５０を容易に解除可能となっている。
【００４６】
図２１から図２６までに示されるように、第２ランス４５０は、上下方向において第２上側保護壁４３２と第２下側保護壁４３４との間に位置している。より詳しくは、第２ランス４５０は、上下方向において上側保護壁収容部４４２と第２押さえ部４３６との間に位置している。
【００４７】
図１から図５まで及び図２１から図２６までに示されるように、第２ランス４５０は、第２係止部４５２と、第２バネ部４５４と、第２突起４５６とを有している。第２係止部４５２は、前後方向において第２ランス４５０の前端付近に位置しており、且つ、前後方向及び上下方向の双方と斜交する平面である。第２バネ部４５４は、第２ランス保持部４７５の前端から前方に延びている。第２突起４５６は、第２係止部４５２の左端から前方に延びている。
【００４８】
図２１から図２６までに示されるように、第２保護部４７０は、前後方向において第２押さえ部４３６の前方に位置している。また、第２保護部４７０は、上下方向において第２ランス４５０の下端と第２下側保護壁４３４の下端との間に位置しており、第２保持部材４００の前端から後方に延びている。
【００４９】
図１、図２、図１０及び図２１から理解されるように、第２押さえ部４３６は、左右方向において第２基準面４３８より右側に位置している。また、第２押さえ部４３６は、前後方向において前方に向かうに連れて左右方向における厚みが増加している。これにより、第１ランス２５０の後端の左右方向における厚みを厚くすると共に第２保護部４７０の左右方向における厚みを厚くしており、第１ランス２５０及び第２保護部４７０の夫々の強度を確保している。
【００５０】
上述したように、第１押さえ部２３６は、左右方向において第１基準面２３８より左側に位置しており、前後方向において前方に向かうに連れて左右方向における厚みが増加している。これにより、第２ランス４５０の後端の左右方向における厚みを厚くすると共に第１保護部２７０の左右方向における厚みを厚くしており、第２ランス４５０及び第１保護部２７０の夫々の強度を確保している。
【００５１】
図１０、図２１及び図２４から図２６までに示されるように、第２凸部４８０と第２凹部４９０とは、上下方向に並んでいる。第２凸部４８０は、上下方向において第２凹部４９０の下方に位置している。第２凸部４８０及び第２凹部４９０の夫々は、前後方向において第２ランス４５０の後方に位置している。
【００５２】
図４、図１０及び図２１から図２６に示されるように、第２凸部４８０は、左方に突出した突起であり、第２係止突起４８２が設けられている。第２係止突起４８２は、第２凸部４８０の下面から下方に突き出しており、左右方向と直交する第２係止面４８４を有している。
【００５３】
図１０及び図２４から図２６に示されるように、第２凹部４９０は、左右方向に貫通する孔であり、第２収容部４１０と連通している。第２凹部４９０には、上下方向において上方に凹んだ第２受容部４９２が設けられている。第２受容部４９２は、第２被係止面４９４を有している。第２被係止面４９４は、左右方向と直交する平面であり、右方に面している。
【００５４】
図２１から図２６までに示されるように、第２ランス保持部４７５は、前後方向において第２ランス４５０の第２バネ部４５４と第２凹部４９０との間に位置している。
【００５５】
図１から図５までに示されるように、第２収容部４１０には、ケーブル７００が接続された第２コンタクト５００が収容されている。
【００５６】
図１から図３までに示されるように、第２コンタクト５００は、第２被係止部５０２を有している。より具体的には、第２被係止部５０２は、第２コンタクト５００の左方に突出した突起における後方に向いたエッジである。
【００５７】
図１から図３までから理解されるように、第２ランス４５０は、前後方向において第２コンタクト５００の後方への移動を規制している。より具体的には、第２ランス４５０の第２係止部４５２は、第２収容部４１０内に位置していると共に、前後方向において第２コンタクト５００の第２被係止部５０２の後方に位置して、前後方向において第２コンタクト５００の後方への移動を規制している。
【００５８】
図１から図３までから理解されるように、第２コンタクト５００の前端近傍の左面の左方には、第２突起４５６が位置している。これにより、前方から治具を挿入して第２突起４５６を左方に移動させて第２ランス４５０を左方に移動させることができる。従って、第２収容部４１０に収容された第２コンタクト５００を抜き取る場合、第２コンタクト５００の第２被係止部５０２に対する第２ランス４５０の第２係止部４５２の係止を解除しやすくなっている。
【００５９】
図１及び図６から図１０までから理解されるように、第１保持部材２００と第２保持部材４００とが互いに組み合わされた状態において、上下方向に沿ってコネクタ１００を透視した場合に、第１ランス２５０と第２ランス４５０とは部分的に重なっている。より具体的には、第１保持部材２００と第２保持部材４００とが互いに組み合わされた状態において、第１ランス２５０の一部と第２ランス４５０の一部とは上下方向において対向している。これにより、本実施の形態のコネクタ１００は、第１ランス２５０と第２ランス４５０の左右方向のサイズを大きくとって第１ランス２５０と第２ランス４５０の強度を確保することができる一方で、コネクタ１００の左右方向のサイズの増加を抑えることができる。
【００６０】
図１及び図６から図１０までに示されるように、第１保持部材２００と第２保持部材４００とが互いに組み合わされた状態において、第１上側保護壁２３２と第２上側保護壁４３２とは上下方向において部分的に重なっており、第１下側保護壁２３４と第２下側保護壁４３４とは上下方向において部分的に重なっている。
【００６１】
より詳しくは、図７及び図８に示されるように、第１保持部材２００と第２保持部材４００とが互いに組み合わされた状態において、第１保持部材２００の第１上側保護壁２３２及び第１下側保護壁２３４は、第２保持部材４００の上側保護壁収容部４４２及び下側保護壁収容部４４４に夫々収容されており、第２保持部材４００の第２上側保護壁４３２及び第２下側保護壁４３４は、第１保持部材２００の上側保護壁収容部２４２及び下側保護壁収容部２４４に夫々収容されている。
【００６２】
図１から図３及び図６から図１０までから理解されるように、第１保持部材２００と第２保持部材４００とが互いに組み合わされた状態において、第１押さえ部２３６は、第２ランス４５０の左側に位置して第２ランス４５０の左側への移動を規制しており、第２押さえ部４３６は、第１ランス２５０の右側に位置して第１ランス２５０の右側への移動を規制している。
【００６３】
より詳しくは、図１から図３及び図６から図１０までから理解されるように、第１保持部材２００と第２保持部材４００とが互いに組み合わされた状態において、左右方向において、第１押さえ部２３６の右面は第２ランス４５０の左面と接触しており、第２押さえ部４３６の左面は第１ランス２５０の右面と接触している。これにより、第１ランス２５０の右側への移動及び第２ランス４５０の左側への移動は夫々規制されている。
【００６４】
図２、図３及び図１０に示されるように、第１保持部材２００と第２保持部材４００とが互いに組み合わされた状態において、第１基準面２３８と第２基準面４３８は、左右方向において互いに接触している。
【００６５】
図１、図２及び図３から理解されるように、第１保持部材２００と第２保持部材４００とが互いに組み合わされた状態において、第１保護部２７０は第２ランス４５０を外部から保護しており、第２保護部４７０は第１ランス２５０を外部から保護している。
【００６６】
図２、図３及び図１０から理解されるように、第１保持部材２００と第２保持部材４００とが互いに組み合わされた状態において、第１凸部２８０は第２凹部４９０に嵌め込まれており、第２凸部４８０は第１凹部２９０に嵌め込まれている。このとき、第１凸部２８０の第１係止突起２８２は、第２凹部４９０の第２受容部４９２に受容されており、第１係止突起２８２の第１係止面２８４と第２受容部４９２の第２被係止面４９４とは左右方向において対向している。またこのとき、第２凸部４８０の第２係止突起４８２は、第１凹部２９０の第１受容部２９２に受容されており、第２係止突起４８２の第２係止面４８４と第１受容部２９２の第１被係止面２９４とは左右方向において対向している。これにより、第１保持部材２００と第２保持部材４００とが左右方向において互いに離れる方向に力が働いた場合であっても、第１係止面２８４と第２被係止面４９４及び第２係止面４８４と第１被係止面２９４とが接触するため、第１凸部２８０及び第２凸部４８０が第１凹部２９０及び第２凹部４９０から引き抜かれにくくなっている。従って、本実施の形態のコネクタ１００は、組み合わせられた第１保持部材２００及び第２保持部材４００とが互いに引き離されにくい構造となっている。
【００６７】
以上、本発明について実施の形態を掲げて具体的に説明してきたが、本発明はこれに限定されるものではない。
【００６８】
本実施の形態のコネクタ１００は、第１保持部材２００及び第２保持部材４００を覆うシェルや外側のハウジングを有さないものであったが、第１保持部材２００及び第２保持部材４００を覆うシェルや外側のハウジングを有していてもよい。
【符号の説明】
【００６９】
１００          コネクタ
１５０          嵌合端
２００          第１保持部材
２１０          第１収容部
２３０          右側部
２３２          第１上側保護壁
２３４          第１下側保護壁
２３６          第１押さえ部
２３８          第１基準面
２４２          上側保護壁収容部
２４４          下側保護壁収容部
２５０          第１ランス
２５２          第１係止部
２５４          第１バネ部
２５６          第１突起
２７０          第１保護部
２７５          第１ランス保持部
２８０          第１凸部
２８２          第１係止突起
２８４          第１係止面
２９０          第１凹部
２９２          第１受容部
２９４          第１被係止面
３００          第１コンタクト
３０２          第１被係止部
４００          第２保持部材
４１０          第２収容部
４３０          左側部
４３２          第２上側保護壁
４３４          第２下側保護壁
４３６          第２押さえ部
４３８          第２基準面
４４２          上側保護壁収容部
４４４          下側保護壁収容部
４５０          第２ランス
４５２          第２係止部
４５４          第２バネ部
４５６          第２突起
４７０          第２保護部
４７５          第２ランス保持部
４８０          第２凸部
４８２          第２係止突起
４８４          第２係止面
４９０          第２凹部
４９２          第２受容部
４９４          第２被係止面
５００          第２コンタクト
５０２          第２被係止部
７００          ケーブル
【図１】
2018014261.tif 000003
【図２】
2018014261.tif 000004
【図３】
2018014261.tif 000005
【図４】
2018014261.tif 000006
【図５】
2018014261.tif 000007
【図６】
2018014261.tif 000008
【図７】
2018014261.tif 000009
【図８】
2018014261.tif 000010
【図９】
2018014261.tif 000011
【図１０】
2018014261.tif 000012
【図１１】
2018014261.tif 000013
【図１２】
2018014261.tif 000014
【図１３】
2018014261.tif 000015
【図１４】
2018014261.tif 000016
【図１５】
2018014261.tif 000017
【図１６】
2018014261.tif 000018
【図１７】
2018014261.tif 000019
【図１８】
2018014261.tif 000020
【図１９】
2018014261.tif 000021
【図２０】
2018014261.tif 000022
【図２１】
2018014261.tif 000023
【図２２】
2018014261.tif 000024
【図２３】
2018014261.tif 000025
【図２４】
2018014261.tif 000026
【図２５】
2018014261.tif 000027
【図２６】
2018014261.tif 000028
【図２７】
2018014261.tif 000029
【図２８】
2018014261.tif 000030